(57)【要約】【課題】  光源の位置ずれを防止して、長期的に安定して光照射を行える光照射型美容装置を提供する。【解決手段】  本発明の光照射型美容装置１は、手で把持する本体１１の一端に光源からレンズ５を介して生体表面に光照射を行う光照射手段を有した装置である。そして、光照射手段が、光源であるキセノン管６と、生体表面へ照射される光源からの光量を均一化するリフレクター７およびレンズ５と、リフレクター７を取り付ける基台８と、光源にトリガ電圧を与えるトリガ４７と、を備えた本体１１に着脱自在な照射ユニット４である。更に、キセノン管６がリフレクター７に固定されており、リフレクター７が基台８およびレンズ５に保持されている。これにより、光照射手段を交換することで光源６の位置ずれを容易に修正でき、長期的に安定して光量を照射することができる。【選択図】        図１
2010142604.tif 000002
【特許請求の範囲】
【請求項１】
手で把持する本体の一端に光源からレンズを介して生体表面に光を照射する光照射手段を有し、且つ上記光照射手段が、上記光源であるキセノン管と、上記生体表面へ照射される上記光源からの光量を均一にするリフレクターおよびレンズと、上記リフレクターを取り付ける基台と、光源にトリガ電圧を与えるトリガと、をケース内に備えた照射ユニットであると共に、上記照射ユニットが上記本体から着脱自在である光照射型美容装置において、上記キセノン管は上記リフレクターに固定されており、上記リフレクターは上記基台および上記レンズにより保持されていることを特徴とする光照射型美容装置。
【請求項２】
前記キセノン管は弾性体により前記リフレクターに固定されており、上記リフレクターは弾性部材を介して基台に取り付けられていることを特徴とする請求項１に記載の光照射型美容装置。
【請求項３】
前記ケースは放熱用の開口部を備えたものであることを特徴とする請求項１または請求項２に記載の光照射型美容装置。
【請求項４】
前記リフレクターは前記レンズに点接触して保持されていることを特徴とする請求項１〜３のいずれか一つに記載の光照射型美容装置。
【発明の詳細な説明】
【技術分野】
【０００１】
本発明は、光照射型美容装置、詳しくは光源を備え、光源からの光を生体表面、特に生体の肌面である皮膚に対して照射することで肌をトリートメントする光照射型美容装置に関するものである。
【背景技術】
【０００２】
従来から、光源から生体表面、特に生体の肌面である皮膚に光を照射して脱毛や抑毛等を行うことで、肌をトリートメントする光照射型美容装置は、特許文献１や特許文献２のように、手で把持して使用できるハンドヘルド型のコンパクトな本体を有し、且つ本体に光照射手段を設けたものである。
【特許文献１】特開２００４−３２１４０１号公報
【特許文献２】特表２００６−５１８６１２号公報
【発明の開示】
【発明が解決しようとする課題】
【０００３】
しかしながら、いずれの特許文献も、本体に光照射手段を一体とした光照射手段を容易に着脱できないものとなっており、光照射手段、特に、光源の交換を考慮しておらず、取り落としによる光源の位置ずれや光照射手段の劣化等で光量が低下した際に、光照射手段あるいは光源を容易に交換することができないものであった。
【０００４】
そこで、本発明は上記問題に鑑みて発明したものであり、取り落としによる衝撃や発光に伴う熱による劣化や変形等の光源の位置ずれを防止すると共に、光源の位置ずれを容易に修正可能とすることで、長期的に安定した光量を照射可能とした光照射型美容装置を提供することを課題とした。
【課題を解決するための手段】
【０００５】
上記課題を解決するために、本発明の光照射型美容装置１は、手で把持する本体１１の一端に光源からレンズ５を介して生体表面に光を照射する光照射手段を有し、且つ上記光照射手段が、上記光源であるキセノン管６と、上記生体表面へ照射される上記光源からの光量を均一化するリフレクター７およびレンズ５と、上記リフレクター７を取り付ける基台８と、光源にトリガ電圧を与えるトリガ４７と、をケース内に備えた照射ユニット４であると共に、上記照射ユニット４が上記本体１１から着脱自在である装置において、上記キセノン管６は上記リフレクター７に固定されており、上記リフレクター７は上記基台８および上記レンズ５により保持されていることを特徴としている。
【０００６】
このような構成としたことで、照射ユニット４を本体１１に着脱自在としたことで、光照射手段が本体１１から着脱自在となり、発光に伴う熱等の光照射型美容装置１の使用より構成部品に経年劣化や変形が生じ易い光照射手段を容易に交換でき、光源を固定したリフレクター７がレンズ５と基台８とに保持されることで、光源のレンズ５およびリフレクター７に対する位置ずれが防止することができる。
【０００７】
また、キセノン管６は弾性体６１によりリフレクター７に固定されており、リフレクター７は弾性部材８３を介して基台８に取り付けられているものであれば、キセノン管６のリフレクター７への固定が弾性的なものとなり、且つリフレクター７が基台８およびレンズ５によって弾性的に照射ユニット４に保持されるため、光照射型美容装置１の光照射時である使用時や照射ユニット４の本体１１からの着脱時に振動や衝撃が加わっても、弾性体６１および弾性部材８３が振動および衝撃を緩和吸収でき、光源の位置ずれを抑制して、照射する光量を安定化させることができる。
【０００８】
また、ケースは放熱用の開口部を備えたものであれば、光源から発生した熱が開口部からケース外に放出されるため、照射ユニット４内の発光に伴う温度上昇を抑え、熱による光照射手段の劣化および構成部品の変形を抑制して、照射する光量の低下を防止することができる。
【０００９】
また、リフレクター７はレンズ５に点接触して保持されているものであれば、光源からの熱がリフレクター７を介してレンズ５に伝達されることを抑制でき、熱による光照射手段の劣化およぶ構成部品の変形を抑制して、照射する光量の低下を防止することができる。
【発明の効果】
【００１０】
上記のように、本発明の光照射型美容装置は、光源を備えた照射ユニットを本体から着脱可能としたことで、光源の劣化や故障時に光源を本体から容易に取り外せ、経年劣化や故障した光源の交換が容易に行うことができると共に、光源の発光に伴い生じる熱を特に受ける部位である光源、リフレクター、レンズを照射ユニットとして一体化したことで、長期的な装置の使用に伴い光源、リフレクター、レンズに劣化や変形が生じて光源の位置ずれが発生しても、照射ユニットを交換することで容易に光源の位置ずれを修正することができ、長期的に安定した光量を照射することができる。
【発明を実施するための最良の形態】
【００１１】
以下、図面に基づいて本発明の実施形態について説明する。
【００１２】
本発明の光照射型美容装置１は、生体表面、特に生体の肌面である皮膚に光照射を行うことにより、生体表面の脱毛を行う光脱毛や、生体表面の毛の成長あるいは再生を抑制する光抑毛等の美容を行うものである。そして、図３〜図５に示すように、片手で把持可能な本体１１と、本体１１の一端に着脱自在で取り付けられた光照射手段である照射ユニット４と、照射ユニット４の周囲を覆い且つ本体１１に着脱自在のカバー３と、からなる装置である。
【００１３】
光照射型美容装置１の上記本体１１は、内蔵電源１２、例えば、蓄電池、と、光照射を制御する制御回路１３と、を内部に有すると共に、上記照射ユニット４を取り付ける本体１１の端部である照射側端部２には、照射ユニット４を着脱自在とするユニット装着部２１である二つの略Ｕ字形状の爪と、上記照射側端部２から突出し且つ本体１１と照射ユニット４を電気的に接続する本体側コネクタ２２と、カバー３を着脱自在に係止する本体側係止部２３と、を備えている。
【００１４】
また、上記カバー３は、図４および図６に示すように、上記照射側端部２および照射ユニット４を覆うカバー部材３１と、カバー部材３１を上記本体側係止部２３に係脱自在とするカバー側係止部３２と、照射ユニット４の光を外部に放出する放出口３４を備えた筒形状のフロートブロック３３と、を有するものである。
【００１５】
そして、上記フロートブロック３３は、図６および図７に示すように、光を照射する光照射方向Ｆ、詳しくは、上記放出口３４に直交する方向、にフロート自在で上記カバー部材３１に取り付けてあり、放出口３４を生体表面に押し当てた状態で照射ユニット４を発光させることで放出口３４を介して生体表面に光照射が行われるものである。更に、フロートブロック３３は遮光部材で形成されており、筒の内側の空間に照射ユニット４が位置することで、放出口３４以外から照射ユニット４の光が漏れることを防止している。
【００１６】
また、上記放出口３４には光学的部材からなる格子３５が設けてあり、光照射を行うためにフロートブロック３３の放出口３４を生体表面に押し当てた際に生体表面のフロートブロック３３の筒の内部への入り込みを抑制して、生体表面が照射ユニット４に接触することを防止している。なお、上記格子３５を形成する光学的部材とは、例えば、照射ユニット４から光量を均一化されて照射された光、詳しくは光の強度や向き、を略変化させることなく透過可能な部材であり、格子３５によって光量の不均一化が生じることを防止するものである。
【００１７】
また、上記照射ユニット４は、上記放出口３４と連通して光を外方へ照射する照射口４２を一端に有する略長方形状の箱であり、図１および図２に示すように、上記箱は長手方向に二つ割りとなるケース部材４１により形成されており、且つ上記照射口４２に蓋としてレンズ５が嵌込されている。
【００１８】
そして、箱の長手方向の両外側、詳しくは長手方向の両端に位置する外側の側面には取付用突起４３が夫々延設されており、取付用突起４３が照射側端部２のＵ字形状の爪に夫々係脱自在となっている。更に、照射口４２の反対側の端部である底部は略中央に凹所４５を有しており、上記凹所４５には本体１１装着時に前記本体側コネクタ２２と電気的に接続される照射側コネクタ４６が設けてある。
【００１９】
照射ユニット４と本体１１の係脱機構において詳しくは、ケース部材４１の取付用突起４３が延設された両外側と略直交する面である短手方向の両外側を把持した状態で、照射ユニット４の凹所４５を照射側端部２の本体側コネクタ２２が突出した位置に合わせることで、装着位置に位置決めされる。そして、光照射方向Ｆと反対の方向に照射ユニット４を押し込み、取付用突起４３をＵ字形状の爪の間に押し込むことで、各取付用突起４３が爪に夫々挟持され、照射ユニット４を本体１１に装着されることができる。
【００２０】
更に、本体１１に照射ユニット４をした状態から、上記ケース部材４１の短手方向の両外側を把持して照射ユニット４を光照射方向Ｆに向かって引っ張ることで、取付用突起４３が爪の間から抜け出して、照射ユニット４を本体１１から離脱させることができる。
【００２１】
また、上記ケースの短手方向の両外側には照射ユニット４の内外を貫通する開口部であるスリット４８が長手方向に沿って複数設けてある。そして、照射ユニット４内の熱がスリット４８を介して外に放出されるものとなっている。
【００２２】
また、上記レンズ５で蓋をされた箱の内部には、箱の長手方向に長い管球状の光源であるキセノン管６と、上記光源からの光を反射して照射口４２に向けるリフレクター７と、上記リフレクター７を前記レンズ５と共に弾性部材８３を介して保持する基台８と、上記照射側コネクタ４６から送られた電気信号を受けてキセノン管６にトリガ電圧を与えキセノン管６を発光させるトリガ４７と、が収納されている。
【００２３】
そして、上記リフレクター７は、照射口４２側に略長方形状の開口を有し且つ反射面を内側に備えた略Ｕ字のカップ形状となっており、光源からの光を上記レンズ５と共に均一化して放出口３４から生体表面に光照射を行うものである。更に、上記開口と逆の位置であるカップ形状の底部側には、キセノン管６を挿通する挿通孔７１が夫々長手方向の両側に設けてあり、上記二つの挿通孔７１にキセノン管６を挿通させることで、カップの内側に光源が位置するものである。
【００２４】
また、上記挿通孔７１に挿通されるキセノン管６の長手方向である軸方向の両端には、夫々弾性体６１、例えば略ドーナツ形状のゴムプレートが嵌合されている。そして、上記二つの弾性体６１が互いの面を対向し且つ夫々がリフレクター７の挿通孔７１を形成する各側面に当接することで、リフレクター７を両側から挟持すると共に、キセノン管６を弾性的にリフレクター７に固定している。
【００２５】
また、上記基台８は、リフレクター７の底部を保持する台座部８１と、台座部８１から突出し上記反射面の裏側である裏面を保持する側部８２と、からなるものであり、光源の発光によって生じた熱を光源およびリフレクター７から放熱する複数の開口を備えている。そして、リフレクター７の底部と基台８との間には弾性部材８３、例えば略板状のゴムプレートが介在しており、詳しくは上記弾性部材８３の一方の面にリフレクター７の底部が当接して、弾性部材８３の反対側の面に基台８が当接している。
【００２６】
更に、基台８の側部８２にはレンズ５の箱に嵌合する外周の一部に係合する保持用係合部を備えており、保持用係合部により基台８とレンズ５の被係合部が係合することで、リフレクター７の開口を形成する四つの端辺がレンズ５に当接すると共に、基台８とレンズ５との間に挟まれることで基台８とリフレクター７の間に位置する弾性部材８３が圧縮されて、リフレクター７をレンズ５および基台８が弾性的に保持するものである。
【００２７】
また、本実施形態では特に図示していないが、上記レンズ５と当接するリフレクター７の端辺には複数の突起がリフレクター７の開口を遮ることないよう延設されている。そして、リフレクター７が弾性的に保持される際に、リフレクター７の端部が直接接触するのではなく、突起がレンズ５に点接触して保持されることで、発光に伴い生じた熱がリフレクター７を介してレンズ５へ伝わることを防止していている。なお、上記突起は、例えば、リフレクター７の各辺の端部が連接する四隅と、長手方向に長い二辺の夫々の辺の中点と、の六ヶ所にリフレクター７の厚さ、詳しくは反射面から裏面までの厚さと略同じ寸法を直径とする突起が光照射方向Ｆに沿って延設されたものである。
【００２８】
したがって、光源を備えた照射ユニット４を本体１１から着脱可能とし、且つ着脱にねじ回し等の着脱用の工具を必要としない方法で係脱自在としたことで、着脱時に工具が不要となり、光源の劣化や故障時に光源を本体１１から容易に取り外すことができ、経年劣化や故障した光源の交換が容易に行えるため、長期的に安定した光量で光照射を行うことができるものとなっている。なお、本発明において長期的とは、本発明の光照射型美容装置１を一度の使用で連続して光照射を複数回行わせることではなく、数回使用を日毎に繰り返し行う等の年月を意味するものである。
【００２９】
そして、光源の発光に伴い生じる熱を受け易い光源、リフレクター７、レンズ５を照射ユニット４として一体化したことで、長期的な光照射型美容装置１の使用に伴い光源、リフレクター７、レンズ５に劣化や変形が生じて光源の位置ずれが発生しても、照射ユニット４を交換することで、容易に光源の位置ずれを修正することができ、より長期的に安定した光量を照射することができる。
【００３０】
更に、弾性体６１を用いて光源をリフレクター７に弾性的に固定し、且つレンズ５と基台８の間に弾性部材８３を介してリフレクター７を弾性的に保持したことにより、レンズ５およびリフレクター７に対して光源がずれることを防止すると共に、生体表面にフロートブロック３３の放出口３４を押し当てて光照射を行った際や照射ユニット４を本体１１から着脱した際の振動や衝撃を弾性体６１および弾性部材８３が緩和吸収するため、照射ユニット４内で光源およびリフレクター７がずれることを抑制され、光源の位置ずれ、詳しくは照射口４２から照射される光が不均一になることを防止でき、安定した光量を長期的に照射することができる。
【００３１】
また、ケースに複数のスリット４８を設けて、発光に伴い生じる熱を照射ユニット４から外部に放出させ、照射ユニット４内の温度上昇を抑制し、且つリフレクター７とレンズ５を点接触させて、発光による熱がリフレクター７からレンズ５に伝達されるのを防止して、発光に伴う熱で照射ユニット４が劣化や変形することを抑制して、光源の位置ずれを防止すると共に、照射ユニット４の耐久性が向上されて、より長期的に安定した光量を照射可能なものとなっている。
【００３２】
なお、本実施形態では、弾性体６１や弾性部材８３等で例示を行ったが、上記例示は限定するものではなく好ましい実施例であり、弾性体６１と弾性部材８３を一体としたものでもよく、本発明の作用効果を得られる光照射型美容装置であれば適宜設計変更可能である。
【図面の簡単な説明】
【００３３】
【図１】本発明の光照射型美容装置における光照射手段の分解斜視図である。
【図２】同上の光照射手段の（ａ）正面図、（ｂ）Ａ−Ａ断面図である。
【図３】本発明の光照射型美容装置の（ａ）正面図、（ｂ）側面図である。
【図４】同上の（ａ）がＢ−Ｂ断面図であり、（ｂ）がＣ−Ｃ断面図である。
【図５】図３のカバーを外した状態の斜視図である。
【図６】同上で外したカバーの（ａ）正面図、（ｂ）Ｄ−Ｄ断面図である。
【図７】同上のフロートブロックの説明図である。
【符号の説明】
【００３４】
１  光照射型美容装置
１１  本体
２  照射側端部
３  カバー
３３  フロートブロック
４  照射ユニット
４１  ケース部材
４２  照射口
４３  取付用突起
４５  凹所
５  レンズ
６  キセノン管
６１  弾性体
７  リフレクター
７１  挿通孔
８  基台
８３  弾性部材
Ｆ  光照射方向
【図１】
2010142604.tif 000003
【図２】
2010142604.tif 000004
【図３】
2010142604.tif 000005
【図４】
2010142604.tif 000006
【図５】
2010142604.tif 000007
【図６】
2010142604.tif 000008
【図７】
2010142604.tif 000009